(57)【特許請求の範囲】
【請求項１】
絶縁棒と、該絶縁棒の先端部外周に対して後端開口部を着脱自在、且つ相対回転可能に嵌合させるフックユニットと、該フックユニットに接続されたアース線と、を備えたアースフックであって、
前記フックユニットは、後端に前記開口部を有した基端ユニットと、該基端ユニットの先端に回動自在に支持され且つフック部材を開閉自在に支持した先端ユニットと、前記先端ユニットに対して前記基端ユニットを正逆二方向に回動させた時に前記フック部材を開閉動作させるフック部材開閉機構と、前記基端ユニットに対して前記絶縁棒を相対的に回動させたときに前記先端ユニットに対する前記基端ユニットの相対回動を許容したり阻止するラッチ機構と、を備え、
前記基端ユニットの後端縁には、該後端縁から軸方向先方へ延びる軸方向スリット、及び該軸方向スリットの先端から両周方向へ延びる周方向スリットから成るＴ字型の切欠き部が設けられ、該切欠き部内には絶縁棒先端外周に突設された係止ピンが移動可能に嵌合し、
前記先端ユニットは、前記基端ユニットに対して相対的に回動自在に取り付けられたベース部と、該ベース部に設けた回動軸によって開閉方向へ回動自在に軸支された前記フック部材と、前記フック部材との間で取付け対象物を挟圧保持する保持片と、を備え、
前記基端ユニットの開口部内に前記絶縁棒先端を嵌合させ、且つ前記フック部材が開放状態にある時に前記先端ユニットを回転止めした状態で前記絶縁棒を一方向へ回動した時に、前記係止ピンが前記周方向スリット内を該一方向へ移動して前記基端ユニットを前記一方向へ回動させることにより、前記フック部材開閉機構が前記フック部材を閉止させ、
前記フック部材が閉止状態にある時に前記先端ユニットを回転止めした状態で前記絶縁棒を他方向へ回動した時に、前記係止ピンが前記周方向スリット内を該他方向へ移動して前記基端ユニットを前記他方向へ回動させることにより、前記フック部材開閉機構が前記フック部材を開放させ、
前記ラッチ機構は、前記先端ユニットの後端縁外周に周方向に沿って形成された被ロック部と、前記基端ユニットによって軸方向へ進退自在に支持され、且つ前記被ロック部と噛合するロック部を先端部に有し、且つ後端部に作動片を有したラッチ部材と、該ラッチ部材を前記被ロック部に向けて付勢する第１の弾性部材と、を有し、前記フック部材が閉止状態にある時には前記ラッチ部材を先方へ突出させた状態でロックして前記ロック部を前記被ロック部とロックさせると共に、該ロック状態を維持したまま前記絶縁棒が前記他方向へ回動することを許容することを特徴とするアースフック。
【請求項２】
前記ラッチ機構は、更に、前記作動片の後端部と摺接する摺接面と該後端部を嵌合させる複数のロック解除用の嵌合部を有した摺動片、及び該摺動片の周方向両端から夫々後方へ延びて前記周方向スリット内に突出した前記係止ピンと接触可能な位置関係にある被押圧片を有し、且つ周方向へ進退可能な作用部材と、該作用部材をニュートラルな周方向位置に保持すると共に前記第１の弾性部材よりも強い弾発力を有する第２の弾性部材と、を備え、
前記係止ピンが前記軸方向スリットと前記周方向スリットの交差部であるニュートラル位置にある時には、前記作動片の後端部が前記摺接面と接しているために前記ロック部は前記被ロック部とロックした状態となり、前記作動片の後端部が前記嵌合部内に嵌合した時には前記ロック部は前記被ロック部とのロックを解除された状態となり、
前記係止ピンが前記ニュートラル位置から周方向に移動して前記作用部材を周方向へ所定角度移動させると前記作動片の後端部が一つの前記嵌合部内に嵌合し、前記係止ピンが前記ニュートラル位置に戻る方向へ移動すると、前記第２の弾性部材の力によって前記作用部材が前記ニュートラル位置へ戻る方向へ移動して前記作動片の後端部が前記嵌合部から離脱して前記摺擦面上に乗り上げることを特徴とする請求項１に記載のアースフック。
【請求項３】
前記作動片の後端部が前記嵌合部内に嵌合している時に、前記係止ピンが前記ニュートラル位置と反対側へ移動する際に、該作動片の後端部が前記嵌合部から離脱することを阻止する段差部を備えていることを特徴とする請求項１又は２に記載のアースフック。
【請求項４】
前記係止ピンの周方向への移動により前記作動片の後端部が前記一つの嵌合部内に嵌合した後で更に前記係止ピンを同方向へ移動させると、前記基端ユニットが同方向へ回動して前記フック部材開閉機構を作動させて前記フック部材を閉止方向へ回動させ、前記係止ピンを逆方向へ移動させると前記作動片後端部が前記一つの嵌合部から離脱して前記摺接面上に乗り上げることを特徴とする請求項１乃至３の何れか一項に記載のアースフック。
【請求項５】
前記フック部材開閉機構は、前記ベース部の内部に軸方向へ進退自在に配置され、先端が前記フック部材の前記回動軸よりもフック部材の先端寄り位置に設けた係合部に対して回動自在に結合し、後部が該基端ユニットに形成した被螺合部と螺合したネジ部材を備え、
前記基端ユニットの開口部内に前記絶縁棒先端を嵌合させ、且つ前記フック部材が開放状態にある時に前記先端ユニットを回転止めした状態で前記絶縁棒を一方向へ回動した時に、前記係止ピンが前記周方向スリット内を該一方向へ移動して前記基端ユニットを押圧して前記一方向へ回動させることにより、前記被螺合部の回動により前記ネジ部材が後方へ移動して前記係合部を後方へ引き下げて前記フック部材を閉止させ、
前記フック部材が閉止状態にある時に前記先端ユニットを回転止めした状態で前記絶縁棒を他方向へ回動した時に、前記係止ピンが前記周方向スリット内を該他方向へ移動して前記基端ユニットを押圧して前記他方向へ回動させることにより、前記被螺合部の回動により前記ネジ部材が先方へ移動して前記係合部を先方へ押圧して前記フック部材を開放させることを特徴とする請求項１乃至４の何れか一項に記載のアースフック。
【発明の詳細な説明】
【技術分野】
【０００１】
本発明は、アースフックと呼ばれる停電作業用保護具の改良に関するものである。
【背景技術】
【０００２】
変電所等の電気所において停電させた状態で電気設備を保守、点検する作業は、アースフックと呼ばれる保護具を用いて電路を接地させつつ実施される。アースフックを取り付けた状態で作業を行うことにより、万が一停電している筈の電路に電流が流れた場合における作業員の安全確保が可能となる。
特許文献１に開示されたアースフックは、エポキシパイプ等からなる絶縁棒（操作棒）と、絶縁棒の先端に開閉自在に軸支された金属製のフック部材と、絶縁棒によって軸方向へ進退自在に支持された操作手段を備え該操作手段を軸方向へ操作することによってフック部材を開閉させる開閉機構と、フック部材に接続された接地金具付きアース線と、を備えている。
また、絶縁棒の先端にフック部材を備えたフックユニットを相対回転自在、且つ着脱自在に取付け、フックユニットに対して絶縁棒を正逆二方向へ回動させることによって開閉機構を作動させてフック部材を開閉させる構成を備えたものが市販されている。
【０００３】
図６はこの種のアースフックの構成説明図であり、絶縁棒１００の先端部外周に対してフックユニット１１０の基端部開口を嵌合させることにより、絶縁棒に対してフックユニット１１０が回動できる。また、絶縁棒の先端は、フックユニット１１０の基端部開口から軸方向へ抜取り可能に構成されている。
フックユニット１１０は、基端部１１１と、基端部の先端に対して相対的に回動自在に支持された先端部１２０と、を備える。基端部１１１の一端は開口しており、この開口部内に絶縁棒の先端を着脱自在に嵌合する。基端部１１１の一端縁にはＴ字型の切欠き部１１３が設けられており、この切欠き部１１３内には絶縁棒先端外周に突設された係止ピン１１５が嵌合する。先端部１２０は基端部１１１に対して相対的に回動自在に取り付けられたベース部１２２と、ベース部１２２に設けた回動軸１２２ａによって一端を上下方向へ回動自在に軸支されたフック部材１２４と、フック部材との間で電線等Ｗを挟圧保持するためにベース部１２２に固定された保持片１２６と、を備えている。また、ベース部１２２の内部にはネジ棒１２８が軸方向へ進退自在に配置されており、ネジ棒１２８の先端部はフック部材１２４の適所（回動軸１２２ａよりもフック部材の先端寄り位置）に設けた係合部１２２ｂに対して回動自在且つ離脱不能に係合している。また、ネジ棒１２８の下部は基端部１１１内部に延びて、基端部先端面に形成した雌螺子部１１１ａと螺合している。
基端部１１１には、アース線１３０の一端部が接続されている。
【０００４】
図示のように係止ピン１１５が切欠き部１１３の周方向スリット１１３ａ内に嵌合するように絶縁棒先端に基端部１１１を装着した状態で、フックユニット１１０に対して絶縁棒１００を左方向へ回動させるとニュートラル位置にあった係止ピン１１５が周方向スリット１１３ａ内を左方向へ移動して周方向スリット１１３ａの左端部を同方向へ押圧して基端部を回動させる。このため、基端部の雌螺子部１１１ａと螺合したネジ棒１２８は先端方向に押し出されて係合部１２２ｂを押し上げてフック部材１２４を開放させる。また、絶縁棒を右方向へ回動させて係止ピン１１５を周方向スリット１１３ａの右端部を同方向へ押圧するとネジ棒１２８が基端部側へ退避するため、フック部材１２４が閉じる方向へ回動する。
このように絶縁棒によりフックユニットを着脱自在に支持したタイプのアースフックによる接地作業においては、絶縁棒１００を開放方向に回動させてフック部材１２４を開放させた状態で電線、金具等に当接させてから絶縁棒を閉止方向へ回動させることによってフック部材を閉止して電線等を挟圧保持する。フック部材を電線等に係止完了した後で、絶縁棒をフックユニットから取外し、フックユニットから延びるアース線１３０を図示しないアース部材に接続しておく。
【０００５】
ところで、絶縁棒１００を閉止方向へ回動させることによってフック部材を電線等に係止させた後で、絶縁棒をフックユニットから取り外すためには、周方向スリット１１３ａの左端部に接していた係止ピン１１５を図示した如きニュートラル位置に戻し、この状態で絶縁棒を基端部開口から抜き取ることにより、係止ピンを軸方向スリット１１３ｂを経由して切欠き部１１３から離脱させることができる。
しかし、絶縁棒をフックユニットから抜き取るためには絶縁棒をフック部材が開放する方向へ戻すための操作が必要となり、この戻し操作を行うと、フック部材が開放方向へ回動して電線を挟圧保持する力に緩みが生じやすくなる。電線を挟圧保持する力が緩むと、フック部材が電線の回りを旋回し、電線に対するフックユニットの固定角度が変化し易くなる。フック部材により電線を挟圧保持した際の電線に対するフックユニットの固定角度にずれが発生すると、保守、点検作業終了後にアースユニットを電線から取り外すために絶縁棒を基端部開口内に差し込むことが困難になる虞がある。特に、電気所の電気設備内での停電作業では、機器間の狭い隙間の内奥にある電線等にフック部材を固定する作業を行うことが多いが、狭い隙間を介してフック部材を電線に固定してから絶縁棒を取り外した後で電線に対するフックユニット全体の角度が僅かでもずれを起こすと、隙間が障害となって作業終了時に絶縁棒をフックユニットに装着し直すことが困難化する。このため、絶縁棒を開放方向へ回動させてフック部材を開放させることによるアースフックの取外し作業の実施が困難になる。
また、保守、点検作業中にフック部材が電線や金具から脱落すると、万が一送電線に通電があった場合に重大事故に繋がる虞がある。
【先行技術文献】
【特許文献】
【０００６】
【特許文献１】特開２０１０−３５３０５公報
【発明の概要】
【発明が解決しようとする課題】
【０００７】
以上のようにフックユニットに対して着脱自在、且つ回動自在に絶縁棒を取り付けたタイプのアースフックにあっては、フック部材を電線等に引っ掛けてから絶縁棒を閉止方向へ回動させることによりフック部材を電線に固定する一方で、フック部材の固定後に絶縁棒をフックユニットから離脱させるためには絶縁棒をフック部材開放方向へ若干戻す必要があった。このため、この戻し操作によってフック部材と電線との固定力に弛みが発生し、電線に対するフックユニットの角度が変化し、絶縁棒をフックユニットに再装着する作業が困難化することがあった。
本発明は上記に鑑みてなされたものであり、フック部材の固定後に絶縁棒をフックユニットから離脱させるために絶縁棒をフック部材開放方向へ若干戻す必要があるタイプのアースフックにおいて、絶縁棒をフックユニット部材開放方向へ戻す操作中に電線等に対するフック部材の挟圧保持力が低下することを防止できるアースフックを提供することを目的としている。
【課題を解決するための手段】
【０００８】
上記目的を達成するため、請求項１の発明に係るアースフックは、絶縁棒と、該絶縁棒の先端部外周に対して後端開口部を着脱自在、且つ相対回転可能に嵌合させるフックユニットと、該フックユニットに接続されたアース線と、を備えたアースフックであって、前記フックユニットは、後端に前記開口部を有した基端ユニットと、該基端ユニットの先端に回動自在に支持され且つフック部材を開閉自在に支持した先端ユニットと、前記先端ユニットに対して前記基端ユニットを正逆二方向に回動させた時に前記フック部材を開閉動作させるフック部材開閉機構と、前記基端ユニットに対して前記絶縁棒を相対的に回動させたときに前記先端ユニットに対する前記基端ユニットの相対回動を許容したり阻止するラッチ機構と、を備え、前記基端ユニットの後端縁には、該後端縁から軸方向先方へ延びる軸方向スリット、及び該軸方向スリットの先端から両周方向へ延びる周方向スリットから成るＴ字型の切欠き部が設けられ、該切欠き部内には絶縁棒先端外周に突設された係止ピンが移動可能に嵌合し、前記先端ユニットは、前記基端ユニットに対して相対的に回動自在に取り付けられたベース部と、該ベース部に設けた回動軸によって後端を開閉方向へ回動自在に軸支された前記フック部材と、前記フック部材との間で取付け対象物を挟圧保持するためにベース部に設けられた保持片と、を備え、前記基端ユニットの開口部内に前記絶縁棒先端を嵌合させ、且つ前記フック部材が開放状態にある時に前記先端ユニットを回転止めした状態で前記絶縁棒を一方向へ回動した時に、前記係止ピンが前記周方向スリット内を該一方向へ移動して前記基端ユニットを押圧して前記一方向へ回動させることにより、前記フック部材開閉機構が前記フック部材を閉止させ、前記フック部材が閉止状態にある時に前記先端ユニットを回転止めした状態で前記絶縁棒を他方向へ回動した時に、前記係止ピンが前記周方向スリット内を該他方向へ移動して前記基端ユニットを押圧して前記他方向へ回動させることにより、前記フック部材開閉機構が前記フック部材を開放させ、前記ラッチ機構は、前記先端ユニットの後端縁外周に周方向に沿って形成された被ロック部と、前記基端ユニットによって軸方向へ進退自在に支持され、且つ前記被ロック部と噛合するロック部を先端部に有し、且つ後端部に作動片を有したラッチ部材と、該ラッチ部材を前記被ロック部に向けて付勢する第１の弾性部材と、前記フック部材が閉止状態にある時には前記ラッチ部材を先方へ突出させた状態でロックして前記ロック部を前記被ロック部とロックさせると共に、該ロック状態を維持したまま前記絶縁棒が前記他方向へ回動することを許容することを特徴とする。
開放状態にあるフック部材を閉止させる過程では、一旦ラッチ部材のロック部と被ロック部とのロックを解除できるため、取付け対象物を強固に挟圧保持するまでフック部材を閉止方向へ回動させることができる一方で、絶縁棒を基端ユニットの開口部から取り外すために絶縁棒をフック部材開放方向へ若干回動させたとしても、直ちにラッチ部材のロック部が被ロック部とロックするため、フック部材と取付け対象物との固定力が弱まることはない。
【０００９】
請求項２の発明は、前記ラッチ機構は、更に、前記作動片の後端部と摺接する摺接面と該後端部を嵌合させる複数のロック解除用の嵌合部を有した摺動片、及び該摺動片の周方向両端から夫々後方へ延びて前記周方向スリット内に突出した前記係止ピンと接触可能な位置関係にある被押圧片を有し、且つ周方向へ進退可能な作用部材と、該作用部材をニュートラルな周方向位置に保持すると共に前記第１の弾性部材よりも強い弾発力を有する第２の弾性部材と、を備え、前記係止ピンが前記軸方向スリットと前記周方向スリットの交差部であるニュートラル位置にある時には、前記作動片の後端部が前記摺接面と接しているために前記ロック部は前記被ロック部とロックした状態となり、前記作動片の後端部が前記嵌合部内に嵌合した時には前記ロック部は前記被ロック部とのロックを解除された状態となり、前記係止ピンが前記ニュートラル位置から周方向に移動して前記作用部材を周方向へ所定長移動させると前記作動片の後端部が一つの前記嵌合部内に嵌合し、前記係止ピンが前記ニュートラル位置に戻る方向へ移動すると、前記第２の弾性部材の力によって前記作用部材が前記ニュートラル位置へ戻る方向へ移動して前記作動片の後端部が前記嵌合部から離脱して前記摺擦面上に乗り上げることを特徴とする。
ラッチ機構による前記ロック、及びロック解除の操作は、係止ピンが作用部材を周方向へ進退させる過程で、ラッチ部材の作動片後端部が作用部材に設けた摺接面に乗り上げたり、摺接面から嵌合部内に嵌合することにより実現される。この操作は、第２の弾性部材により作用部材をニュートラル位置に戻す力を、第１の弾性部材によりラッチ部材をロック方向へ付勢する力よりも大きく設定することによりスムーズ化する。
【００１０】
請求項３の発明は、前記作動片の後端部が前記嵌合部内に嵌合している時に、前記係止ピンが前記ニュートラル位置と反対側へ移動する際に、該作動片の後端部が前記嵌合部から離脱することを阻止する段差部を備えていることを特徴とする。
係止ピンがニュートラル位置から一方向へ移動することによりラッチ部材の作動片後端部が嵌合部内に嵌合した後で、係止ピンにより作用部材を更に同方向へ押し続けると、作動片後端部が嵌合部から離脱することも有り得る。そこで、作動片後端部が嵌合部から離脱することを阻止する段差部を設けた。
【００１１】
請求項４の発明は、前記係止ピンの周方向への移動により前記作動片の後端部が前記一つの嵌合部内に嵌合した後で更に前記係止ピンを同方向へ移動させると、前記基端ユニットが同方向へ回動して前記フック部材開閉機構を作動させて前記フック部材を閉止方向へ回動させ、前記係止ピンを逆方向へ移動させると前記作動片後端部が前記一つの嵌合部から離脱して前記摺接面上に乗り上げることを特徴とする。
ラッチ機構とフック部材開閉機構が連動することにより、フック部材が閉止して取付け対象物を挟圧保持した後で、絶縁棒をフック部材開放方向へ若干移動させるだけの操作を行うことにより、フック部材の閉止状態をロックすることができ、絶縁棒を基端ユニットから離脱することができる。この際、フック部材による電線等の挟圧保持力が低下しないため、電線等に対するフックユニットの角度が変化することを防止できる。
【００１２】
請求項５の発明は、前記フック部材開閉機構は、前記ベース部の内部に軸方向へ進退自在に配置され、先端が前記フック部材の前記回動軸よりもフック部材の先端寄り位置に設けた係合部に対して回動自在に結合し、後部が該基端ユニットに形成した被螺合部と螺合したネジ部材を備え、前記基端ユニットの開口部内に前記絶縁棒先端を嵌合させ、且つ前記フック部材が開放状態にある時に前記先端ユニットを回転止めした状態で前記絶縁棒を一方向へ回動した時に、前記係止ピンが前記周方向スリット内を該一方向へ移動して前記基端ユニットを押圧して前記一方向へ回動させることにより、前記被螺合部の回動により前記ネジ部材が後方へ移動して前記係合部を後方へ引き下げて前記フック部材を閉止させ、  前記フック部材が閉止状態にある時に前記先端ユニットを回転止めした状態で前記絶縁棒を他方向へ回動した時に、前記係止ピンが前記周方向スリット内を該他方向へ移動して前記基端ユニットを押圧して前記他方向へ回動させることにより、前記被螺合部の回動により前記ネジ部材が先方へ移動して前記係合部を先方へ押圧して前記フック部材を開放させることを特徴とする。
このようなネジ部材を用いたフック部材開閉機構を採用することにより、コンパクトな構成でありながら、効果的にフック部材を開閉したり、ロックしたり、ロック解除することが可能となる。
【発明の効果】
【００１３】
本発明では、絶縁棒をフックユニットに対して着脱自在にしたアースフックにおいて、フックユニットを、フック部材を支持した先端ユニットと、先端ユニットに対して相対回転する基端ユニットから構成し、ラッチ機構によって先端ユニットに対する基端ユニットの相対回転を許容したり、禁止するように構成した。絶縁棒は基端ユニットの後端開口内に着脱自在に構成した。絶縁棒をフック部材の閉止方向へ回動させた時に、ラッチ機構の働きによってフック部材が電線等を強固に挟圧するまで締め付けることができる一方で、締め付け後に絶縁棒を基端ユニットから抜き取るために絶縁棒をフック部材開放方向へ若干回動させたとしても、フック部材を緩ませることなく、フック部材を閉止位置でロックすることができる。
ラッチ機構を設けたことにより、フック部材を閉じて電線等に固定した後で絶縁棒を抜き取るために緩み方向へ回したとしても、フック部材による電線の固定力が低下することを防止した。このため、電線に対するフックユニットの角度に変化が生じることがなく、後刻絶縁棒をフックユニットに取り付ける際における不便がない。
つまり、フック部材を閉止する際には電線などを強固に固定できるまで閉止方向へ回動することができる一方で、固定後に絶縁棒を取り外す際には、フック部材が弛みを起こして電線とフックユニットとの角度が変化することがなくなる。その結果、フックユニットに対して絶縁棒を再装着することが容易となる。
【図面の簡単な説明】
【００１４】
【図１】（ａ）及び（ｂ）は本発明の一実施形態に係るアースフックのニュートラル状態を示す正面図、及びＸ−Ｘ断面図である。
【図２】同アースフックにおけるフック部材閉止状態を示す正面図である。
【図３】フック部材を閉止してロックした状態を示す正面図である。
【図４】ラッチ機構の構成を示す斜視図である。
【図５】本発明のアースフックにおけるフック部材開閉機構の構成説明図である。
【図６】従来のアースフックの構成説明図である。
【発明を実施するための形態】
【００１５】
以下、本発明を図面に示した実施の形態により詳細に説明する。
図１（ａ）及び（ｂ）は本発明の一実施形態に係るアースフックのニュートラル状態を示す正面図、及びＸ−Ｘ断面図であり、図２は同アースフックにおけるフック部材閉止状態を示す正面図であり、図３はフック部材を閉止してロックした状態を示す正面図であり、図４はラッチ機構の構成を示す斜視図であり、図５は本発明のアースフックにおけるフック部材開閉機構の構成説明図である。
【００１６】
アースフック１は、エポキシパイプ等の絶縁材料から成る絶縁棒２と、絶縁棒の先端部外周に対して後端開口部１２を着脱自在、且つ相対回転可能に嵌合させるフックユニット１０と、フックユニットに接続されたアース線（接地用リード線）Ｅと、を備える。
フックユニット１０は、後端に開口部１２を有した基端ユニット１１と、基端ユニット１１の先端に回動自在に支持され且つフック部材２２を開閉自在に支持した先端ユニット２０と、先端ユニット２０に対して基端ユニットを正逆二方向に回動させた時にフック部材２２を夫々開閉動作させるフック部材開閉機構４０と、先端ユニット２０に対する基端ユニット１１の相対回動を許容したり、相対回動を阻止するラッチ機構６０と、を備える。
基端ユニット１１の後端縁には、該後端縁から軸方向先方へ延びる軸方向スリット１３ａ、及び軸方向スリットの先端から両周方向へ延びる周方向スリット１３ｂから成るＴ字型の切欠き部１３が設けられ、切欠き部内には絶縁棒先端外周に突設された係止ピン３が切欠き部１３内を移動可能に嵌合している。係止ピン３は絶縁棒２と一体化されているため、先端ユニット２０の回転を阻止した状態で絶縁棒を周方向左右に回動させることにより、係止ピン３は周方向スリット１３ｂ内を周方向へ往復移動し、周方向スリットの両端縁を夫々押圧することにより基端ユニット１１を左右に回動させる。本例では、係止ピン３が右方向（フック部材閉止方向）へ移動して周方向スリット１３ｂの右端縁を右方向へ押圧して基端ユニット１１を図示の位置（ニュートラル位置）よりも右方向へ移動させることにより、フック部材開閉機構４０が閉止方向へ作動して開放状態にあったフック部材２２を閉止方向へ回動させる。一方、係止ピン３が左方向（フック部材開放方向）へ移動して周方向スリット１３ｂの左端縁を左方向へ押圧して基端ユニット１１を図示の位置よりも左方向へ移動させることにより、フック部材開閉機構４０が開放方向へ作動して閉止位置にあったフック部材を開放方向へ回動させる。
係止ピン３が左右に移動することによってラッチ機構６０も所定の動作（ロック、及びロック解除）を行う。
なお、係止ピン３が図１に示したニュートラル位置にある時のフック部材２２の開放角度よりも、係止ピンが周方向スリット１３ｂの左端縁を左方向へ押圧して基端ユニットを所定の限界位置まで回動させた時の開放角度（破線図示）の方が大きくなる。
【００１７】
先端ユニット２０は、基端ユニット１１と略同一軸心状に配置され、且つ該軸心を中心として基端ユニットに対して相対的に回動自在に取り付けられたベース部２１と、ベース部２１に設けた回動軸２１ａによって後端を開閉方向へ回動自在に軸支されたフック部材２２と、フック部材２２との間で電線、金具等の取付け対象物Ｗを挟圧保持するためにベース部２１外部に固定された保持片２３と、を備える。回動軸２１ａは先端ユニットの中心軸方向と直交する方向へ延びているため、フック部材２２の開閉経路は回動軸２１ａと直交する平面に沿った方向となる。
基端ユニット１１の開口部１２内に絶縁棒先端を嵌合させ、且つフック部材２２が開放状態（例えば、図１の状態）にある時に先端ユニット２０を回転止めした状態で絶縁棒２を一方向（右方向＝フック部材閉止方向）へ回動した時に、係止ピン３が周方向スリット１３ｂ内を該一方向へ移動して基端ユニット１１（周方向スリット右端縁）を押圧して右方向へ回動させることにより、フック部材開閉機構４０が閉止方向に作動してフック部材を閉止方向（反時計回り方向）へ回動させる。
【００１８】
また、フック部材２２が閉止状態にある時に先端ユニット２０を回転止めした状態で絶縁棒を他方向（左方向＝フック部材開放方向）へ回動した時に、係止ピン３が周方向スリット１３ｂ内を該他方向へ移動して基端ユニット（周方向スリット左端縁）を押圧して左方向へ回動させることにより、フック部材開閉機構４０が開放方向へ作動してフック部材を開放方向（時計回り方向）へ回動させる。
フック部材開閉機構４０は、図５に示すように、先端ユニット２０内に固定したネジガイド（雌螺子）４２によって軸方向へ進退自在に支持されたネジ棒４１を備え、ネジ棒４１の先端部はフック部材２２の適所（回動軸２１ａよりもフック部材の先端寄り位置）に設けた係合部２１ｂに対して回動自在且つ離脱不能に係合している。また、ネジ棒４１の下部は基端ユニット１１の内部に延びて、基端ユニット先端面に固定配置した雌螺子部１１ａと螺合している。
図示のように係止ピン３が切欠き部１３の周方向スリット１３ｂ内に嵌合するように絶縁棒先端に基端ユニット１１を装着し、且つ先端ユニット２０の回転を阻止した状態で絶縁棒を用いて基端ユニット１１を左方向へ回動させるとニュートラル位置にあった係止ピン３が周方向スリット１３ｂ内を左方向へ移動して周方向スリット１３ｂの左端部を同方向へ押圧して基端ユニットを回動させる。このため、基端ユニットの雌螺子部１１ａと螺合したネジ棒４１が先端方向に押し出されて係合部２１ｂを押し上げてフック部材２２を開放方向へ回動させる。また、絶縁棒２を右方向へ回動させて係止ピン３が周方向スリット１３ｂの右端部を同方向へ押圧すると、先方へ突出していたネジ棒が後方へ引き込まれて係合部２１ｂを後方へ引き込み、開放していたフック部材２２を閉止方向へ回動させる。
【００１９】
ラッチ機構６０は、先端ユニット２０の後端縁外周（下端縁外周）に周方向に沿って形成されたギヤ山状の凹凸部（被ロック部）６１と、基端ユニット１１の外周面によって凹凸部６１に向けて出没自在に支持され、且つ凹凸部と噛合するラッチ部（ロック部）６４を先端部に有したラッチ部材６３と、ラッチ部材６３の後端部から突設した作動片６５と、ラッチ部材６３及び作動片６５を凹凸部６１に向けて付勢する第１の弾性部材６６と、作動片６５の後端部と摺接する摺接面７２ａ、及び該摺接面に形成されて該後端部を嵌合させる複数のラッチ解除用（ロック解除用）の嵌合部（穴、或いは凹所）７２ｂ、７２ｃを有した摺動片７２、及び摺動片７２の周方向両端から夫々後方へ延びて周方向スリット１３ｂ内に突出した係止ピン３と接触可能な位置関係にある被押圧片７３ａ、７３ｂを有し、且つ周方向へ進退可能な作用部材７０と、作用部材７０を周方向両側から内側に向けて押圧することによりニュートラルな周方向位置に保持する第２の弾性部材７５ａ、７５ｂと、を備える。
【００２０】
作用部材７０は、ガイド部材７０ａを基端ユニット外面に突設することにより、周方向へ安定してガイドされる。
作用部材７０の左右両側において基端ユニット１１外面により支持されたガイド棒７６によりガイドされた第２の弾性部材７５ａ、７５ｂは、作用部材７０を左右から内側へ向けて均等な力で付勢しており、係止ピン３が図１に示したニュートラル位置にある時に、作用部材７０を常に図示したニュートラル位置に保持するように機能する。各弾性部材７５ａ、７５ｂの弾発力（拡張力）は、第１の弾性部材６６の弾発力（拡張力）よりも十分に大きく設定する。
ラッチ部材６３及びこれと一体化された作動片６５は、軸方向への移動を安定させるために基端ユニット外面に設けたガイド部材６３ａによってガイドされており、第１の弾性部材６６はラッチ部材６３と摺接面７２ａとの間に配置されて拡開方向に付勢し、ラッチ部６４を凹凸部６１に圧接すると共に、作動片６５後端を摺接面７２ａに圧接させている。本例では、作動片後端に沿って軸方向へ進退自在に嵌合した環状の鍔部材６５ａとラッチ部材底面との間に第１の弾性部材６６を配置している。鍔部材６５ａが摺接面７２ａに対して第１の弾性部材６６からの力を伝えながら、摺接面に沿って周方向へ移動する。作動片後端部は鍔部材の中央の穴を介して嵌合部側へ出没する。
作用部材７０が周方向（右方向）へ移動することによって作動片６５の後端部が左側の嵌合部７２ｂに達すると、作動片後端部が嵌合部７２ｂ内に嵌合（没入）し、ラッチ部６４と凹凸部６１とのロック状態（強い接触状態）が解除される。この状態では、ラッチ部６４と凹凸部６１とは第１の弾性部材６６の付勢力により軽く接触してはいるが、強いロック状態ではなく、先端ユニット２０に対して作用部材７０及びラッチ部材６３を周方向に移動させることができる。この際、ラッチ部６４と凹凸部６１がカチカチと断続的に接触しながら作用部材の移動を許容する。
【００２１】
図１に示すように係止ピン３が軸方向スリット１３ａと周方向スリット１３ｂとの交差部であるニュートラル位置にある時には、作動片６５の後端部が摺接面７２ａと接しているためにラッチ部６４は凹凸部６１と強くロックした状態となり、作動片の後端部が嵌合部内に嵌合した時にはラッチ部６４は凹凸部とのロックを解除された状態となる。図１の状態では、フック部材２２は実線図示のように開放した状態にある。
また、図１においてフック部材を電線Ｗに係止して先端ユニット２０の回転を禁止した状態で絶縁棒２を右方向へ回動させることにより係止ピン３がニュートラル位置から右方向（フック部材閉止方向）に移動して作用部材７０を右方向へ所定角度回動させると、図２に示したように作動片６５の後端部が左側の嵌合部７２ｂ内に嵌合する（落ち込む）。作動片の後端部が嵌合部内に嵌合した図２の状態で絶縁棒を更に左方向へ回動開始させると、係止ピン３が作用部材７０を右方向へ押圧する力が解除されるため、それまで圧縮されていた右側の第２の弾性部材７５ａの拡開力によって作用部材７０が左方向へ復帰しようとする。第１の弾性部材６６がラッチ部材及び作動片を摺接面７２ａへ押し付ける力よりも、第２の弾性部材７５ａの拡張力の方が上回っているため、作用部材７０が左方向へ移動開始した直後に作動片６５の後端部は嵌合部７２ｂから離脱して（押し出されて）摺接面７２ａ上に乗り上げる（図３の状態）。このため、作用部材７０を左方向へ回動させた直後にラッチ部６４は凹凸部６１とロック状態となり、先端ユニット２０に対して基端ユニット１１が相対回転することが不可能となる。更に図３の状態から更に絶縁棒を左方向へ回動させると、係止ピンによって作用片７０だけが左方向へ押圧されるため作動片後端部が摺接面７２ａを滑りながら相対的に右方向へ移動する。そして、作動片後端部がニュートラル位置（摺接面７２ａの周方向中央）に達すると、ロック状態は更に確実となり、且つ係止ピン３が軸方向スリット１３ａの先端部に達するため基端ユニット１１の開口部１２から絶縁棒を引き抜くことが可能となる。従って、図２の状態から絶縁棒を左方向へ回動させた時にフック部材開閉機構４０はフック部材開放方向へ作動することができず、フック部材２２の閉止状態を維持することができる。
【００２２】
このため、フック部材による電線Ｗの挟圧力を弱めることなく、係止ピン３を切欠き部１３内から取り出しつつ、絶縁棒を基端ユニット１１から離脱させることができる。
なお、図２のように左側の嵌合部７２ｂに作動片６５の後端部が嵌合してから絶縁棒を更に右方へ回動させることによって作動片後端部が嵌合部７２ｂから離脱して嵌合部７２ｂの左側の摺接面上に相対的に移動するとロック状態となってしまうため、嵌合部７２ｂの左側には作動片後端部が嵌合部から離脱して更に左方へ移動できないように段差部（離脱防止部）７２ａ’を設けるのが好ましい。段差部７２ａ’を設けることにより、作用部材７０が図２の位置よりも更に右方向へ回動しても、作動片後端部は嵌合部内に嵌合したままとなる。このため、基端ユニット１１は先端ユニット２０に対して相対回転することができ、回動してフック部材を電線と強固に挟圧させることができる。
【００２３】
図３のようにフック部材２２が閉じることによって電線Ｗを挟圧保持した状態を解除する場合には、絶縁棒を左方向へ回動させることによって作動片６５の後端部を摺接面７２ａに沿って相対的に右方向へ移動させ、最後に右側の嵌合部７２ｃに嵌合させる。作動片６５の後端部が摺接面７２ａ上にある限りは、ラッチ部６４が凹凸部６１と強くロックし続けて基端ユニット１１を先端ユニットに対して回動させることができないためにフック部材を開放することはできないが、作動片後端部が嵌合部７２ｃ内に嵌合した時点でロック状態が解除された状態となり、この状態で更に絶縁棒を左方向へ回動させると先端ユニット２０に対して基端ユニット１１を相対的に回動させることができる。作動片後端部が嵌合部７２ｃ内に嵌合した際には、その右側に位置する段差部７２ａ’によって更に相対的に右方向へ移動することができないため、所定の限界位置まで絶縁棒を左方向へ回動させて先端ユニットを開放方向へ回動することが可能となり、フック部材を開放して電線から離脱させることが可能となる。
【００２４】
本発明のアースフックにあっては、ラッチ部材の作動片後端部が作用部材７０に設けた嵌合部７２ｂ、７２ｃに嵌合することによって、ラッチ部と凹凸部との強いロックが解除されて、回転を阻止された先端ユニット２０に対して基端ユニット１１を相対的に回動させることが可能となる。一方、作動片後端部が嵌合部から離脱して摺接面７２ａに接した際にはラッチ部と凹凸部とが強くロックするため、基端ユニットを先端ユニットに対して相対的に回動させることが困難となる。
なお、作動片後端部が嵌合部から摺接面上に移行することによって先端ユニットと基端ユニットがロックした後においても、作用部材７０は周方向へ移動することが可能であり、絶縁棒も所定の範囲内で回動することができる。
【００２５】
このように構成したため、絶縁棒２をフック部材閉止方向へ回動させる過程で作動片後端部を嵌合部７２ｂに嵌合させた後で、更に絶縁棒を同方向へ回動させて限界位置まで回動させることによりフック部材開閉機構４０を作動させることができ、フック部材を強固に電線Ｗと結合させることができる。この結合状態に達した後で、絶縁棒をフック部材開放方向へ僅かに回動させると、作動片後端部が嵌合部７２ｂから離脱して摺接面７２ａ上に移動するため、ロック部（ラッチ部）と被ロック部（凹凸部）とが強くロックすることとなり、フック部材が電線と強固にロックした状態を維持することができる。更に、係止ピン３がニュートラル位置に達した時点で絶縁棒を基端ユニットの後端開口１２から抜き取ることが可能となる。この際、フック部材と電線との結合力は低下しないため、電線に対してフックユニット１０が回動して後端開口１２の向きが変化することが無くなる。
フック部材２２と電線Ｗとの結合を解除する場合には、絶縁棒を基端ユニットの開口部１２内に差し込んでから上記と逆方向に回動させればよい。電線に対する基端ユニットの後端開口の向きが変化していないため、周辺に障害物がある場合であっても絶縁棒を差し込んでフック部材２２と電線Ｗとの結合を解除する作業を実施することができる。
【００２６】
以上のように本発明によれば、開放状態にあるフック部材を閉止させる過程で、一旦ラッチ部材のロック部と、先端ユニットの被ロック部とのロックを解除できるため、取付け対象物を強固に挟圧保持するまでフック部材を閉止方向へ自由に回動させることができる一方で、絶縁棒を基端ユニットの開口部から取り外すために絶縁棒をフック部材開放方向へ若干回動させたとしても、直ちにラッチ部材のロック部が被ロック部とロックするため、フック部材と取付け対象物との固定力が弱まることはない。
【００２７】
また、ラッチ機構による前記ロック、及びロック解除の操作は、係止ピンが作用部材を周方向へ進退させる過程で、ラッチ部材の作動片後端部が作用部材に設けた摺接面に乗り上げたり、摺接面から離脱して嵌合部内に嵌合することにより実現される。この操作は、第２の弾性部材により作用部材をニュートラル位置に戻す力を、第１の弾性部材によりラッチ部材をロック方向へ付勢する力よりも大きく設定することによりスムーズ化する。
また、係止ピンがニュートラル位置から一方向へ移動することによりラッチ部材の作動片後端部が嵌合部内に嵌合した後で、係止ピンにより作用部材を更に同方向へ押し続けると、作動片後端部が嵌合部から離脱することも有り得る。そこで、作動片後端部が嵌合部から離脱することを阻止する段差部を設けた。
また、ラッチ機構とフック部材開閉機構が連動することにより、フック部材が閉止して取付け対象物を挟圧保持した後で、絶縁棒をフック部材開放方向へ若干移動させるだけの操作を行うことにより、フック部材の閉止状態をロックすることができ、絶縁棒を基端ユニットから離脱することができる。
また、ネジ部材を用いたフック部材開閉機構を採用することにより、コンパクトな構成でありながら、効果的にフック部材を開閉したり、ロック、ロック解除することが可能となる。
なお、ラッチ機構、及びフック部材開閉機構としては、図示説明した構成以外の構成を採用することもできる。
【符号の説明】
【００２８】
１…アースフック、２…絶縁棒、３…係止ピン、１０…フックユニット、１１…基端ユニット、１１ａ…雌螺子部、１２…後端開口、１３ａ…軸方向スリット、１３ｂ…周方向スリット、２０…先端ユニット、２１…ベース部、２１ａ…回動軸、２１ｂ…係合部、２２…フック部材、２３…保持片、４０…フック部材開閉機構、４１…ネジ棒、６０…ラッチ機構、６１…凹凸部（被ロック部）、６３…ラッチ部材、６３ａ…ガイド部材、６４…ラッチ部、６５…作動片、６５ａ…鍔部、６６…弾性部材、７０…作用部材、７０ａ…ガイド部材、７２…摺動片、７２ａ…摺接面、７２ａ’…段差部、７２ｂ…嵌合部、７２ｃ…嵌合部、７３ａ…被押圧片、７５ａ…弾性部材
【図１】
0005415489.tif 000002
【図２】
0005415489.tif 000003
【図３】
0005415489.tif 000004
【図４】
0005415489.tif 000005
【図５】
0005415489.tif 000006
【図６】
0005415489.tif 000007